(57)【要約】【課題】  印刷用紙に最適なサイズのテンプレートを、優先的に表示すること。【解決手段】  テンプレートを読み込んで印刷する画像処理システムにおいて、記憶装置に保存しているテンプレートの用紙サイズとシステム上の表示順を管理するテーブルと、接続プリンタから出力用紙サイズを読み出す手段と、前記読み出し手段で得た出力用紙サイズと前記管理テーブルにある用紙サイズを比較し、それらが近い順に前記管理テーブル上の表示順を変更する手段と、前記で変更した管理テーブルの表示順に基づいて表示装置上のテンプレートの表示順を変更する手段を有することを特徴とするテンプレート表示方式。【選択図】  図１
2005184581.tif 000002
【特許請求の範囲】
【請求項１】
テンプレートを読み込んで印刷する画像処理システムにおいて、
記憶装置に保存しているテンプレートの用紙サイズとシステム上の表示順を管理するテーブルと、
接続プリンタから出力用紙サイズを読み出す手段と、
前記読み出し手段で得た出力用紙サイズと前記管理テーブルにある用紙サイズを比較し、それらが近い順に前記管理テーブル上の表示順を変更する手段と、
前記で変更した管理テーブルの表示順に基づいて、表示装置上のテンプレートの表示順を変更する手段
を有することを特徴とするテンプレート表示方式。
【請求項２】
用紙サイズ毎に分類して保存されているテンプレートを読み込んで印刷する画像処理システムにおいて、
テンプレートの各サイズ分類が示す縦横の実サイズ及びシステム上の表示順を管理するテーブルと、
接続プリンタから出力用紙サイズを読み出す手段と、
前記読み出し手段で得た出力用紙サイズと前記管理テーブルにあるテンプレートの縦横の実サイズを比較し、それらが近い順に前記管理テーブル上の表示順を変更する手段と、
前記で変更した管理テーブルの表示順に基づいて、表示装置上のテンプレートの用紙サイズ毎の表示順を変更する手段
を有することを特徴とするテンプレート表示方式。
【請求項３】
請求項１におけるプリンタの出力用紙サイズとテンプレートの用紙サイズの比較において、
サイズが完全に一致しない場合は、サイズそのものよりも両者の縦横比が一致することを優先すること
を特徴とするテンプレート表示方式。
【請求項４】
請求項２におけるプリンタの出力用紙サイズとテンプレートの各サイズ分類が示す縦横の実サイズの比較において、
サイズが完全に一致しない場合は、サイズそのものよりも両者の縦横比が一致することを優先すること
を特徴とするテンプレート表示方式。
【請求項５】
請求項１におけるプリンタの出力用紙サイズとテンプレートの用紙サイズの比較において、
サイズが完全に一致しない場合は、サイズそのものが近い方を優先するか、それとも縦横比が一致することを優先するかを切り替えるスイッチを有すること
を特徴とするテンプレート表示方式。
【請求項６】
請求項２におけるプリンタの出力用紙サイズとテンプレートの各サイズ分類が示す縦横の実サイズの比較において、
サイズが完全に一致しない場合は、サイズそのものが近い方を優先するか、それとも縦横比が一致することを優先するかを切り替えるスイッチを有すること
を特徴とするテンプレート表示方式。
【請求項７】
テンプレートを読み込んで印刷する画像処理システムにおいて、
記憶装置に保存しているテンプレートの用紙サイズとシステム上の表示順を管理するテーブルと、
接続プリンタから出力用紙サイズと、出力用紙１枚あたりに印刷するページ数を読み出す手段と、
前記読み出し手段で得た出力用紙サイズと出力用紙１枚あたりに印刷するページ数から、テンプレート１枚あたりが出力用紙上に占めるサイズを算出する手段と、
前記算出手段で得たテンプレート１枚あたりが出力用紙上に占めるサイズと、前記管理テーブルにあるテンプレートの用紙サイズを比較し、それらが近い順に前記管理テーブル上の表示順を変更する手段と、
前記で変更した管理テーブルの表示順に基づいて、表示装置上のテンプレートの表示順を変更する手段
を有することを特徴とするテンプレート表示方式。
【請求項８】
用紙サイズ毎に分類して保存されているテンプレートを読み込んで印刷する画像処理システムにおいて、
テンプレートの各サイズ分類が示す縦横の実サイズ及びシステム上の表示順を管理するテーブルと、
接続プリンタから出力用紙サイズと、出力用紙１枚あたりに印刷するページ数を読み出す手段と、
前記読み出し手段で得た出力用紙サイズと出力用紙１枚あたりに印刷するページ数から、テンプレート１枚あたりが出力用紙上に占めるサイズを算出する手段と、
前記算出手段で得たテンプレート１枚あたりが出力用紙上に占めるサイズと、前記管理テーブルにあるテンプレートの縦横の実サイズを比較し、それらが近い順に前記管理テーブル上の表示順を変更する手段と、
前記で変更した管理テーブルの表示順に基づいて、表示装置上のテンプレートの用紙サイズ毎の表示順を変更する手段
を有することを特徴とするテンプレート表示方式。
【請求項９】
請求項７におけるテンプレート１枚あたりが出力用紙上に占めるサイズとテンプレートの用紙サイズの比較において、
サイズが完全に一致しない場合は、サイズそのものよりも両者の縦横比が一致することを優先すること
を特徴とするテンプレート表示方式。
【請求項１０】
請求項８におけるテンプレート１枚あたりが出力用紙上に占めるサイズとテンプレートの各サイズ分類が示す縦横の実サイズの比較において、
サイズが完全に一致しない場合は、サイズそのものよりも両者の縦横比が一致することを優先すること
を特徴とするテンプレート表示方式。
【請求項１１】
請求項７におけるテンプレート１枚あたりが出力用紙上に占めるサイズとテンプレートの用紙サイズの比較において、
サイズが完全に一致しない場合は、サイズそのものが近い方を優先するか、それとも縦横比が一致することを優先するかを切り替えるスイッチを有すること
を特徴とするテンプレート表示方式。
【請求項１２】
請求項８におけるテンプレート１枚あたりが出力用紙上に占めるサイズとテンプレートの各サイズ分類が示す縦横の実サイズの比較において、
サイズが完全に一致しない場合は、サイズそのものが近い方を優先するか、それとも縦横比が一致することを優先するか を切り替えるスイッチを有すること
を特徴とするテンプレート表示方式。
【請求項１３】
請求項１,２,７,８において、
テンプレートの表示順を接続プリンタの状態によって変更するか、それともシステムが有するデフォルトの表示順を優先するか を切り替えるスイッチを有すること
を特徴とするテンプレート表示方式。
【請求項１４】
請求項１,２,７,８において、
システム起動時の接続プリンタ情報に基づくテンプレートの表示順をシステム終了まで継続使用するか、それとも接続プリンタが変更される毎にテンプレートの表示順を変更するか  を切り替えるスイッチを有すること
を特徴とするテンプレート表示方式。
【請求項１５】
請求項１,２,７,８,１３,１４において、接続プリンタがない又は接続が切れているときに、
接続プリンタが無い旨を警告する手段と、
プリンタの接続状態が回復するまで待つ手段と、
前記接続状態の回復を確認した時点でプリンタ情報を取得し、以降の工程を実施する手段
を有することを特徴とするテンプレート表示方式。
【請求項１６】
請求項１,２,７,８,１３,１４において、接続プリンタがない又は接続が切れているときに、
接続プリンタが無い旨を警告する手段と、
接続プリンタの状態は見ずに、システムが有するデフォルトの表示順でテンプレートを表示する手段
を有することを特徴とするテンプレート表示方式。
【請求項１７】
請求項１５,１６を切り替えるスイッチを有することを特徴とするテンプレート表示方式。
【発明の詳細な説明】
【技術分野】
【０００１】
本発明は、画像処理システムのテンプレート表示方式に関する。
【背景技術】
【０００２】
画像の編集システムでは、印刷に用いるデザインの雛形（＝テンプレート）を予め複数用意しておき、そこからユーザに好みのテンプレートを選ばせる方法が多く用いられる。
【０００３】
昨今多く見られる年賀状の注文もテンプレートを用いた画像編集システムの一例である。ユーザが選択したテンプレートを店頭で伝え、写真と印刷に使う文字情報（住所・氏名など）を渡すと、テンプレート内の写真はめ込み部に該写真が、文字はめ込み部に該文字情報がはめ込まれて１枚の年賀状が完成する。
【０００４】
複数のテンプレートから所望のテンプレートを選択する方法として、表示装置上にテンプレートをリスト表示して、その中からキーボードやマウス等の入力手段で選択する方法がある。特許文献１参照
【特許文献１】特開平10-232917号公報
【発明の開示】
【発明が解決しようとする課題】
【０００５】
テンプレート数が多くなると、テンプレートリストの全項目を１画面内に納めることは困難になる。そのため、所望のテンプレートを探すためにスクロールバーの操作などが必要になり、検索の操作性が悪くなる。
【０００６】
テンプレートを印刷するときに画像の拡大・縮小を行うと画質が劣化するので、同様のデザインをサイズ別で用意することがある。このような場合に、デザインが同じだからといって、実際に必要な大きさよりも過大なテンプレートを使うと、システムのメモリを圧迫して編集操作が遅くなるだけでなく、印刷時の縮小率が大きいために印刷物の画質も悪くなってしまう。
【０００７】
本発明においては上記の問題点を解決し、印刷物の画質を最大限に生かすテンプレートをユーザが容易に検索できるようにすることを目的とする。
【課題を解決するための手段】
【０００８】
上記目的を達成するために本発明の請求項１においては、テンプレートを読み込んで印刷する画像処理システムにおいて、記憶装置に保存しているテンプレートの用紙サイズとシステム上の表示順を管理するテーブルと、接続プリンタから出力用紙サイズを読み出す手段と、前記読み出し手段で得た出力用紙サイズと前記管理テーブルにある用紙サイズを比較し、それらが近い順に前記管理テーブル上の表示順を変更する手段と、前記で変更した管理テーブルの表示順に基づいて、表示装置上のテンプレートの表示順を変更する手段を有することを特徴とするテンプレート表示方式を実現したものである。
【０００９】
上記目的を達成するために本発明の請求項２においては、用紙サイズ毎に分類して保存されているテンプレートを読み込んで印刷する画像処理システムにおいて、テンプレートの各サイズ分類が示す縦横の実サイズ及びシステム上の表示順を管理するテーブルと、接続プリンタから出力用紙サイズを読み出す手段と、前記読み出し手段で得た出力用紙サイズと前記管理テーブルにあるテンプレートの縦横の実サイズを比較し、それらが近い順に前記管理テーブル上の表示順を変更する手段と、前記で変更した管理テーブルの表示順に基づいて、表示装置上のテンプレートの用紙サイズ毎の表示順を変更する手段を有することを特徴とするテンプレート表示方式を実現したものである。
【００１０】
上記目的を達成するために本発明の請求項３においては、請求項１におけるプリンタの出力用紙サイズとテンプレートの用紙サイズの比較において、サイズが完全に一致しない場合は、サイズそのものよりも両者の縦横比が一致することを優先することを特徴とするテンプレート表示方式を実現したものである。
【００１１】
上記目的を達成するために本発明の請求項４においては、請求項２におけるプリンタの出力用紙サイズとテンプレートの各サイズ分類が示す縦横の実サイズの比較において、サイズが完全に一致しない場合は、サイズそのものよりも両者の縦横比が一致することを優先することを特徴とするテンプレート表示方式を実現したものである。
【００１２】
上記目的を達成するために本発明の請求項５においては、請求項１におけるプリンタの出力用紙サイズとテンプレートの用紙サイズの比較において、サイズが完全に一致しない場合は、サイズそのものが近い方を優先するか、それとも縦横比が一致することを優先するか を切り替えるスイッチを有することを特徴とするテンプレート表示方式を実現したものである。
【００１３】
上記目的を達成するために本発明の請求項６においては、請求項２におけるプリンタの出力用紙サイズとテンプレートの各サイズ分類が示す縦横の実サイズの比較において、サイズが完全に一致しない場合は、サイズそのものが近い方を優先するか、それとも縦横比が一致することを優先するかを切り替えるスイッチを有することを特徴とするテンプレート表示方式を実現したものである。
【００１４】
上記目的を達成するために本発明の請求項７においては、テンプレートを読み込んで印刷する画像処理システムにおいて、記憶装置に保存しているテンプレートの用紙サイズとシステム上の表示順を管理するテーブルと、接続プリンタから出力用紙サイズと、出力用紙１枚あたりに印刷するページ数を読み出す手段と、前記読み出し手段で得た出力用紙サイズと出力用紙１枚あたりに印刷するページ数から、テンプレート１枚あたりが出力用紙上に占めるサイズを算出する手段と、前記算出手段で得たテンプレート１枚あたりが出力用紙上に占めるサイズと、前記管理テーブルにあるテンプレートの用紙サイズを比較し、それらが近い順に前記管理テーブル上の表示順を変更する手段と、前記で変更した管理テーブルの表示順に基づいて、表示装置上のテンプレートの表示順を変更する手段を有することを特徴とするテンプレート表示方式を実現したものである。
【００１５】
上記目的を達成するために本発明の請求項８においては、用紙サイズ毎に分類して保存されているテンプレートを読み込んで印刷する画像処理システムにおいて、テンプレートの各サイズ分類が示す縦横の実サイズ及びシステム上の表示順を管理するテーブルと、接続プリンタから出力用紙サイズと、出力用紙１枚あたりに印刷するページ数を読み出す手段と、前記読み出し手段で得た出力用紙サイズと出力用紙１枚あたりに印刷するページ数から、テンプレート１枚あたりが出力用紙上に占めるサイズを算出する手段と、前記算出手段で得たテンプレート１枚あたりが出力用紙上に占めるサイズと、前記管理テーブルにあるテンプレートの縦横の実サイズを比較し、それらが近い順に前記管理テーブル上の表示順を変更する手段と、前記で変更した管理テーブルの表示順に基づいて、表示装置上のテンプレートの用紙サイズ毎の表示順を変更する手段を有することを特徴とするテンプレート表示方式を実現したものである。
【００１６】
上記目的を達成するために本発明の請求項９においては、請求項７におけるテンプレート１枚あたりが出力用紙上に占めるサイズとテンプレートの用紙サイズの比較において、サイズが完全に一致しない場合は、サイズそのものよりも両者の縦横比が一致することを優先することを特徴とするテンプレート表示方式を実現したものである。
【００１７】
上記目的を達成するために本発明の請求項１０においては、請求項８におけるテンプレート１枚あたりが出力用紙上に占めるサイズとテンプレートの各サイズ分類が示す縦横の実サイズの比較において、サイズが完全に一致しない場合は、サイズそのものよりも両者の縦横比が一致することを優先することを特徴とするテンプレート表示方式を実現したものである。
【００１８】
上記目的を達成するために本発明の請求項１１においては、請求項７におけるテンプレート１枚あたりが出力用紙上に占めるサイズとテンプレートの用紙サイズの比較において、サイズが完全に一致しない場合は、サイズそのものが近い方を優先するか、それとも縦横比が一致することを優先するかを切り替えるスイッチを有することを特徴とするテンプレート表示方式を実現したものである。
【００１９】
上記目的を達成するために本発明の請求項１２においては、請求項８におけるテンプレート１枚あたりが出力用紙上に占めるサイズとテンプレートの各サイズ分類が示す縦横の実サイズの比較において、サイズが完全に一致しない場合は、サイズそのものが近い方を優先するか、それとも縦横比が一致することを優先するか を切り替えるスイッチを有することを特徴とするテンプレート表示方式を実現したものである。
【００２０】
上記目的を達成するために本発明の請求項１３においては、請求項１,２,７,８において、テンプレートの表示順を接続プリンタの状態によって変更するか、それともシステムが有するデフォルトの表示順を優先するか を切り替えるスイッチを有することとを特徴とするテンプレート表示方式を実現したものである。
【００２１】
上記目的を達成するために本発明の請求項１４においては、請求項１,２,７,８において、システム起動時の接続プリンタ情報に基づくテンプレートの表示順をシステム終了まで継続使用するか、それとも接続プリンタが変更される毎にテンプレートの表示順を変更するかを切り替えるスイッチを有することを特徴とするテンプレート表示方式を実現したものである。
【００２２】
上記目的を達成するために本発明の請求項１５においては、請求項１,２,７,８,１３,１４において、接続プリンタがない又は接続が切れているときに、接続プリンタが無い旨を警告する手段と、プリンタの接続状態が回復するまで待つ手段と、前記接続状態の回復を確認した時点でプリンタ情報を取得し、以降の工程を実施する手段を有することを特徴とするテンプレート表示方式を実現したものである。
【００２３】
上記目的を達成するために本発明の請求項１６においては、請求項１,２,７,８,１３,１４において、接続プリンタがない又は接続が切れているときに、接続プリンタが無い旨を警告する手段と、接続プリンタの状態は見ずに、システムが有するデフォルトの表示順でテンプレートを表示する手段を有することを特徴とするテンプレート表示方式を実現したものである。
【００２４】
上記目的を達成するために本発明の請求項１７においては、請求項１５,１６を切り替えるスイッチを有することを特徴とするテンプレート表示方式を実現したものである。
【発明の効果】
【００２５】
以上説明したように本発明は次の効果を有する。
【００２６】
請求項１によれば、テンプレートを読み込んで印刷する画像処理システムにおいて、記憶装置に保存しているテンプレートの用紙サイズとシステム上の表示順を管理するテーブルと、接続プリンタから出力用紙サイズを読み出す手段と、前記読み出し手段で得た出力用紙サイズと前記管理テーブルにある用紙サイズを比較し、それらが近い順に前記管理テーブル上の表示順を変更する手段と、前記で変更した管理テーブルの表示順に基づいて、表示装置上のテンプレートの表示順を変更する手段を有することを特徴とするテンプレート表示方式を実現したことによって、印刷物の画質を最大限に生かすテンプレートをユーザが容易に検索できるようになるという効果がある。
【００２７】
請求項２によれば、用紙サイズ毎に分類して保存されているテンプレートを読み込んで印刷する画像処理システムにおいて、テンプレートの各サイズ分類が示す縦横の実サイズ及びシステム上の表示順を管理するテーブルと、接続プリンタから出力用紙サイズを読み出す手段と、前記読み出し手段で得た出力用紙サイズと前記管理テーブルにあるテンプレートの縦横の実サイズを比較し、それらが近い順に前記管理テーブル上の表示順を変更する手段と、前記で変更した管理テーブルの表示順に基づいて、表示装置上のテンプレートの用紙サイズ毎の表示順を変更する手段を有することを特徴とするテンプレート表示方式を実現したことによって、印刷物の画質を最大限に生かすテンプレートをユーザが容易に検索できるようになるという効果がある。
【００２８】
請求項３によれば、請求項１におけるプリンタの出力用紙サイズとテンプレートの用紙サイズの比較において、サイズが完全に一致しない場合は、サイズそのものよりも両者の縦横比が一致することを優先することを特徴とするテンプレート表示方式を実現したことによって、印刷時に画像を変倍するときにも元画像の縦横比を維持できるようになるという効果がある。
【００２９】
請求項４によれば、請求項２におけるプリンタの出力用紙サイズとテンプレートの各サイズ分類が示す縦横の実サイズの比較において、サイズが完全に一致しない場合は、サイズそのものよりも両者の縦横比が一致することを優先することを特徴とするテンプレート表示方式を実現したことによって、印刷時に画像を変倍するときにも元画像の縦横比を維持できるようになるという効果がある。
【００３０】
請求項５によれば、請求項１におけるプリンタの出力用紙サイズとテンプレートの用紙サイズの比較において、サイズが完全に一致しない場合は、サイズそのものが近い方を優先するか、それとも縦横比が一致することを優先するか を切り替えるスイッチを有することを特徴とするテンプレート表示方式を実現したことによって、特に画像と印刷サイズが大きく異なるときに変倍による画像の劣化と画像の縦横比のどちらを優先するかがユーザの好みで変更できるようになるという効果がある。
【００３１】
請求項６によれば、請求項２におけるプリンタの出力用紙サイズとテンプレートの各サイズ分類が示す縦横の実サイズの比較において、サイズが完全に一致しない場合は、サイズそのものが近い方を優先するか、それとも縦横比が一致することを優先するか を切り替えるスイッチを有することを特徴とするテンプレート表示方式したことによって、特に画像と印刷サイズが大きく異なるときに変倍による画像の劣化と画像の縦横比のどちらを優先するかがユーザの好みで変更できるようになるという効果がある。
【００３２】
請求項７によれば、テンプレートを読み込んで印刷する画像処理システムにおいて、記憶装置に保存しているテンプレートの用紙サイズとシステム上の表示順を管理するテーブルと、接続プリンタから出力用紙サイズと、出力用紙１枚あたりに印刷するページ数を読み出す手段と、前記読み出し手段で得た出力用紙サイズと出力用紙１枚あたりに印刷するページ数から、テンプレート１枚あたりが出力用紙上に占めるサイズを算出する手段と、前記算出手段で得たテンプレート１枚あたりが出力用紙上に占めるサイズと、前記管理テーブルにあるテンプレートの用紙サイズを比較し、それらが近い順に前記管理テーブル上の表示順を変更する手段と、前記で変更した管理テーブルの表示順に基づいて、表示装置上のテンプレートの表示順を変更する手段を有することを特徴とするテンプレート表示方式を実現したことによって、１枚の印刷用紙に多ページをレイアウトして印刷する場合でも印刷物の画質を最大限に生かすテンプレートをユーザが容易に検索できるようになるという効果がある。
【００３３】
請求項８によれば、用紙サイズ毎に分類して保存されているテンプレートを読み込んで印刷する画像処理システムにおいて、テンプレートの各サイズ分類が示す縦横の実サイズ及びシステム上の表示順を管理するテーブルと、接続プリンタから出力用紙サイズと、出力用紙１枚あたりに印刷するページ数を読み出す手段と、前記読み出し手段で得た出力用紙サイズと出力用紙１枚あたりに印刷するページ数から、テンプレート１枚あたりが出力用紙上に占めるサイズを算出する手段と、前記算出手段で得たテンプレート１枚あたりが出力用紙上に占めるサイズと、前記管理テーブルにあるテンプレートの縦横の実サイズを比較し、それらが近い順に前記管理テーブル上の表示順を変更する手段と、前記で変更した管理テーブルの表示順に基づいて、表示装置上のテンプレートの用紙サイズ毎の表示順を変更する手段を有することを特徴とするテンプレート表示方式を実現したことによって、１枚の印刷用紙に多ページをレイアウトして印刷する場合でも印刷物の画質を最大限に生かすテンプレートをユーザが容易に検索できるようになるという効果がある。
【００３４】
請求項９によれば、請求項７におけるテンプレート１枚あたりが出力用紙上に占めるサイズとテンプレートの用紙サイズの比較において、サイズが完全に一致しない場合は、サイズそのものよりも両者の縦横比が一致することを優先することを特徴とするテンプレート表示方式を実現したことによって、１枚の印刷用紙に多ページをレイアウトして印刷する場合でも印刷時に画像を変倍するときにも元画像の縦横比を維持できるようになるという効果がある。
【００３５】
請求項１０によれば、請求項８におけるテンプレート１枚あたりが出力用紙上に占めるサイズとテンプレートの各サイズ分類が示す縦横の実サイズの比較において、サイズが完全に一致しない場合は、サイズそのものよりも両者の縦横比が一致することを優先することを特徴とするテンプレート表示方式を実現したことによって、１枚の印刷用紙に多ページをレイアウトして印刷する場合でも印刷時に画像を変倍するときにも元画像の縦横比を維持できるようになるという効果がある。
【００３６】
請求項１１によれば、請求項７におけるテンプレート１枚あたりが出力用紙上に占めるサイズとテンプレートの用紙サイズの比較において、サイズが完全に一致しない場合は、サイズそのものが近い方を優先するか、それとも縦横比が一致することを優先するか を切り替えるスイッチを有することを特徴とするテンプレート表示方式を実現したことによって、特に画像と印刷サイズが大きく異なるときに変倍による画像の劣化と画像の縦横比のどちらを優先するかがユーザの好みで変更できるようになるという効果がある。
【００３７】
請求項１２によれば、請求項８におけるテンプレート１枚あたりが出力用紙上に占めるサイズとテンプレートの各サイズ分類が示す縦横の実サイズの比較において、サイズが完全に一致しない場合は、サイズそのものが近い方を優先するか、それとも縦横比が一致することを優先するか を切り替えるスイッチを有することを特徴とするテンプレート表示方式を実現したことによって、特に画像と印刷サイズが大きく異なるときに変倍による画像の劣化と画像の縦横比のどちらを優先するかがユーザの好みで変更できるようになるという効果がある。
【００３８】
請求項１３によれば、請求項１,２,７,８において、テンプレートの表示順を接続プリンタの状態によって変更するか、それともシステムが有するデフォルトの表示順を優先するか を切り替えるスイッチを有することを特徴とするテンプレート表示方式を実現したことによって、接続プリンタの状況によらず常に一定の表示状態での操作も可能になり、ユーザの好みで作業環境を実現できるようになるという効果がある。
【００３９】
請求項１４によれば、請求項１,２,７,８において、システム起動時の接続プリンタ情報に基づくテンプレートの表示順をシステム終了まで継続使用するか、それとも接続プリンタが変更される毎にテンプレートの表示順を変更するか  を切り替えるスイッチを有することを特徴とするテンプレート表示方式を実現したことによって、プリンタに依存せずに常に一定の操作環境で編集作業をしたいユーザにも、常に最新のプリンタの接続状況を反映したいユーザにも対応できるようになるという効果がある。
【００４０】
請求項１５によれば、請求項１,２,７,８,１３,１４において、接続プリンタがない又は接続が切れているときに、接続プリンタが無い旨を警告する手段と、プリンタの接続状態が回復するまで待つ手段と、前記接続状態の回復を確認した時点でプリンタ情報を取得し、以降の工程を実施する手段を有することを特徴とするテンプレート表示方式を実現したことによって、選択したテンプレートに編集を加えた後で、実際の出力サイズと異なったことに気づいてテンプレートの選択操作からやり直す といった作業ミスを未然に防ぐことができるという効果がある。
【００４１】
請求項１６によれば、請求項１,２,７,８,１３,１４において、接続プリンタがない又は接続が切れているときに、接続プリンタが無い旨を警告する手段と、接続プリンタの状態は見ずに、システムが有するデフォルトの表示順でテンプレートを表示する手段を有することを特徴とするテンプレート表示方式を実現したことによって、単にテンプレートの内容を拡大表示したい場合や、プリンタの無い環境で単に編集作業だけを行う（印刷は別環境で行う）場合に、無用な待ち時間を省略できるという効果がある。
【００４２】
請求項１７によれば、請求項１５,１６を切り替えるスイッチを有することを特徴とするテンプレート表示方式を実現したことで、ユーザの好みを反映できるようになるという効果がある。
【発明を実施するための最良の形態】
【００４３】
図１は本リスト表示方式に係るシステム構成図の一例である。
【００４４】
図１において、1は例えばフィルムスキャナやデジタルカメラ等の画像入力装置であり、原画像を入力する。2は中央処理装置であり、不図示のCPU、該CPUが各種処理を実行するための作業領域として用いる不図示のRAM、及び前記CPUの制御プログラム等が記憶された不図示のROM等により構成され、画像入力装置により入力された原画像を編集、加工して、仮想のシート上にレイアウトする。3は記憶装置であり、原画像のレイアウト位置及びサイズ、或いは背景等、各編集条件が予め定められた複数のテンプレートが記憶させてあるほか、各テンプレートの縦横サイズやCRTに表示する際の表示順を管理するテーブルが記憶させられており、これらを読み出することも可能である。また、4はキーボード、5はマウスであり、これらによりユーザは各指示を入力する。さらに、6は例えばCRT等の表示装置であり、原画像や完成したシート画像を表示する。7は完成したシート画像を台紙上に印刷するプリンタである。
【００４５】
なお、以上の構成は専用のハードウェアによって実現されるのみならず、汎用のパーソナルコンピュータ等を用いることも可能である。
【００４６】
以下、これら画像処理システムの動作フローチャートについて、図2を用いて説明する。
【００４７】
本システムが起動されると、ステップS11において、中央処理装置２は出力装置７のプリンタ情報を取得する。以降の説明においては、プリンタ情報として、出力用紙サイズ「幅100mm、高さ148 mm」」を取得したと仮定する。
【００４８】
まず、請求項１なる画像システムの場合を述べる。
【００４９】
ステップS12において、中央処理装置２は記憶装置３に記憶しているテンプレート情報（縦横サイズと表示順が書かれた管理テーブル：図３）を読み出し、S11で得た出力用紙サイズとS12で得た管理テーブル上の縦横サイズを比較して、管理テーブル上の表示順序に関するデータを変更して記憶装置３に保存する（図４）。
【００５０】
ステップS13において、中央処理装置2はS12で記憶装置3に保存したテンプレートの管理テーブルを読み出し、そこに書かれている表示順序で表示装置6にテンプレートを表示する（図５）。
【００５１】
次に、請求項２なる画像システムの場合を述べる。
【００５２】
ステップS12において、中央処理装置２は記憶装置３に記憶しているテンプレート情報（サイズごとの分類と、その分類が示す縦横サイズ及び表示順が書かれた管理テーブル：図６）を読み出し、S11で得た出力用紙サイズとS12で得た管理テーブル上の縦横サイズを比較して、管理テーブル上の表示順序に関するデータを変更して記憶装置３に保存する（図７）。
【００５３】
ステップS13において、中央処理装置2はS12で記憶装置3に保存したテンプレートの管理テーブルを読み出し、そこに書かれている表示順序で表示装置6のテンプレートリストの項目順を表示する。このとき、接続プリンタの出力用紙サイズがリスト項目の先頭に表示されると同時に、そのサイズ分類に含まれるテンプレートがサムネール表示される（図８）。
【００５４】
ステップS11において、中央処理装置２が出力装置７のプリンタ情報として、出力用紙サイズ「幅210mm、高さ297mm」と１枚あたりの印刷ページ数「４：縦横に２つずつ配置」を取得したと仮定する。
【００５５】
この場合、出力用紙サイズだけで以降の処理を行う請求項１ないし請求項２であれば、図９の左図のようにA4サイズのテンプレートが優先表示される。しかし、請求項７ないし請求項８の構成要素を持つ場合は、中央処理装置２が出力用紙上で１ページが占める領域サイズを計算して、その領域サイズに近い物から順にテンプレートの管理テーブル上の表示順序を変更し、その結果に基づいて表示装置５の表示を行う。
【００５６】
出力用紙サイズがR0(幅W0、高さH0)。印刷余白が横方向にw、縦方向にh。出力用紙１枚当たりにレイアウトされるページ数が横方向にNw、縦方向にNhとする。通常多数ページをレイアウトする場合は、出力用紙サイズの有効印字領域内に、各ページ間の間隔を空けずに配置するので、出力用紙上で１ページが占める領域サイズRp(幅Wp、高さHp)は下式のようになる。
【００５７】
Wp = (W0 - w) ÷Nw
Hp = (H0 - h) ÷Nh
出力用紙サイズが幅210mm,高さ297mm、印刷余白が上下に0.5mm,左右に5ｍｍで、レイアウト数４（縦横に２つずつレイアウト）という仮定においては、出力用紙上で１ページが占める領域サイズが下式で求まる。
【００５８】
Wp = (210 -5×2) ÷2= 100
Hp = (297 - 0.5×2) ÷2= 148
これより、１ページあたりの領域サイズに近い物から順にテンプレートの管理テーブル上の表示順序を変更すると「はがきサイズ」が最優先されることになるので、その結果に基づいて表示装置５の表示を行う（図９）。
【００５９】
ユーザはS14において、表示装置6に表示されているテンプレートから印刷に用いるテンプレートを選択する。ここで選択されたテンプレートが、印刷用のシート画像の基になる。S15において、キーボード４またはマウス５を使ってユーザが画像入力装置１から画像を読み込むと、中央処理装置２は表示装置6に表示されているシート画像に入力画像をはめ込む。このようにして作成されたシート画像に対して、ユーザは必要に応じて画像補正（色処理・トリミングなど）を行うこともできる。この編集操作は、キーボード４またはマウス５を使って行い、その編集操作は表示装置６でプレビュー確認することができる。
【００６０】
シート画像に対するすべての編集操作が完了したら、ユーザは中央処理装置２に対して印刷の指示を出すように命じる。S16にて、中央処理装置２はS15で完成したシート画像を出力装置７に転送する。このとき、中央処理装置２は出力用紙サイズの縦横とS15で完成したシート画像の縦横の大きさを比較して、それらが逆ならばシート画像を90度回転してから転送する。このようにして転送されてきた画像を出力装置７は印刷する。
【００６１】
次に、図１０なる画像処理システムの動作フローチャートを用いて、テンプレート選択と印刷を繰り返して行う場合について説明する。
【００６２】
図１０の左図は、請求項１４における「システム起動時のプリンタ設定を継続使用する場合」の動作フローに他ならない。この場合、出力装置７の印刷用紙サイズを[はがきサイズ]から[A4サイズ]に変更したとしても、テンプレートの表示順では[はがきサイズ]が優先表示され続ける。
【００６３】
一方図１０の右図においては、ステップS36の印刷が完了した時点で、中央処理装置２が前回のプリンタ情報と最新のプリンタ情報の違いを確認して、両者に差異がある場合はS31に処理を戻す。そのため、常にテンプレートの表示順を印刷用紙サイズと合わせることが可能になる。
【００６４】
図１０におけるS21〜S26あるいはS31〜S36の各ステップにおける工程は、図９におけるS11〜S16の工程とそれぞれ対応するので、説明を省略する。
【００６５】
次に、図１１なる画像処理システムの動作フローチャートを用いて、請求項１５〜１７を説明する。
【００６６】
本システムが起動されると、ステップS41において、中央処理装置２は出力装置７のプリンタの接続状態を確認する。S42でプリンタ情報の取得にトライし、ここでプリンタが正しく接続されていてプリンタ情報が取得できればS45以降の処理にスキップする。
【００６７】
S42でプリンタ情報が取得できないと、ユーザに対して「プリンタが接続を確認してください。」というメッセージをS43で表示する。
【００６８】
請求項１５なるシステムの場合は「プリンタの接続を確認されるまで待つ」という設定なので、S44は常に「再取得する」に相当し、S41の処理へと戻る。
【００６９】
請求項１６なるシステムの場合は「プリンタの接続は再確認せずに、標準の表示順を使う」という設定なので、S44は常に「再取得しない」に相当し、S45の処理へと進む。
【００７０】
請求項１７が指す「切り替えスイッチ」は、S44の判定を制御する物に他ならない。このスイッチを意図するGUIの一例を図１５に示す。
【００７１】
図１１におけるステップS45〜S49の工程は、図９におけるS12〜S16の工程とそれぞれ対応するので、説明を省略する。
【図面の簡単な説明】
【００７２】
【図１】本発明のテンプレート表示方式が用いられた画像処理システムの構成を示すブロック図。
【図２】本発明のテンプレート表示方式が用いられた画像処理システムを示すフローチャート。
【図３】請求項１の実施例で用いた[テンプレートの管理テーブル]の一例。
【図４】請求項１の実施例で用いた[テンプレートの管理テーブル]の一更新例。
【図５】請求項１の実施例で用いた[テンプレート表示]の一例。
【図６】請求項２の実施例で用いた[テンプレートの管理テーブル]の一例。
【図７】請求項２の実施例で用いた[テンプレートの管理テーブル]の一更新例。
【図８】請求項２の実施例で用いた[テンプレート表示]の一例。
【図９】請求項７及び請求項８の効果を説明する図。
【図１０】請求項１４のテンプレート表示方式が用いられた画像処理システムを示すフローチャート。
【図１１】請求項１５〜１７のテンプレート表示方式が用いられた画像処理システムを示すフローチャート。
【図１２】請求項５、請求項６、請求項１１、請求項１２なる切り替え操作用のＧＵＩの一例。
【図１３】請求項１３なる切り替え操作用のＧＵＩの一例。
【図１４】請求項１４なる切り替え操作用のＧＵＩの一例。
【図１５】請求項１７なる切り替え操作用のＧＵＩの一例。
【符号の説明】
【００７３】
１  中央処理装置
２  記憶装置
３  キーボード
４  マウス
５  表示装置
６  画像入力装置
【図１】
2005184581.tif 000003
【図２】
2005184581.tif 000004
【図３】
2005184581.tif 000005
【図４】
2005184581.tif 000006
【図５】
2005184581.tif 000007
【図６】
2005184581.tif 000008
【図７】
2005184581.tif 000009
【図８】
2005184581.tif 000010
【図９】
2005184581.tif 000011
【図１０】
2005184581.tif 000012
【図１１】
2005184581.tif 000013
【図１２】
2005184581.tif 000014
【図１３】
2005184581.tif 000015
【図１４】
2005184581.tif 000016
【図１５】
2005184581.tif 000017